(57)【要約】【課題】上下方向において小型化することが可能なキャップを提供する。【解決手段】中栓３と蓋４とを有するキャップ１であって、中栓３は、容器２に取付可能な取付部材１０と、外周に雄ねじ２１を有する注出ノズル１１と、取付部材１０に設けられた中栓側撥音部材１４とを有し、蓋４は、頂板部２６の外周縁から垂下されたスカート部２７と、スカート部２７よりも内側に備えられたねじ筒２８と、スカート部２７とねじ筒２８との間に形成された中足部材２９と、蓋側撥音部材３２とを有し、ねじ筒２８は雄ねじ２１に螺合する雌ねじ３５を内周に有し、中足部材２９は周方向における少なくとも一箇所が分断された間欠部を有する円筒状の部材であり、蓋側撥音部材３２は、中足部材２９の間欠部に配置され、蓋４を閉方向Ｓに回して閉位置Ｐまで閉めた際、中栓側撥音部材１４に当接して中栓側撥音部材１４を乗り越えることにより音を発生させる。【選択図】図１
2020189638.tif 000002
【特許請求の範囲】
【請求項１】
容器に取り付けられる中栓と、回転することにより中栓に着脱自在なねじ式の蓋とを有するキャップであって、
中栓は、容器に取付可能な取付部材と、取付部材から上向きに突出した注出ノズルと、注出ノズルの先端部に形成された注出口と、取付部材に設けられた中栓側撥音部材とを有し、
注出ノズルは外周に雄ねじを有し、
蓋は、注出口を開閉するものであり、頂板部と、頂板部の外周縁から垂下されたスカート部と、スカート部よりも径方向内側に備えられたねじ筒と、径方向においてスカート部とねじ筒との間に形成された中足部材と、蓋側撥音部材とを有し、
ねじ筒は雄ねじに螺合する雌ねじを内周に有し、
中足部材は周方向における少なくとも一箇所が分断された間欠部を有する円筒状の部材であり、
蓋側撥音部材は、中足部材の間欠部に配置され、蓋を閉方向に回して注出口を閉鎖する閉位置まで閉めた際、中栓側撥音部材に当接して中栓側撥音部材を乗り越えることにより音を発生させることを特徴とするキャップ。
【請求項２】
閉位置において、中足部材の下端部が取付部材の上面に上方から当接することを特徴とする請求項１記載のキャップ。
【請求項３】
雄ねじと雌ねじとはそれぞれ多条ねじであり、
中栓側撥音部材と蓋側撥音部材との少なくともいずれか一方の撥音部材は、周方向における複数箇所に、多条ねじの条数と同じ個数配置されていることを特徴とする請求項１又は請求項２記載のキャップ。
【請求項４】
蓋は、注出口に嵌脱自在な栓部材と、栓部材を保持する保持筒とを有し、
栓部材と保持筒とはねじ筒よりも径方向内側に備えられていることを特徴とする請求項１から請求項３のいずれか１項に記載のキャップ。
【発明の詳細な説明】
【技術分野】
【０００１】
本発明は、容器に取り付けられ、撥音機能を有するキャップに関する。
【背景技術】
【０００２】
従来、この種のキャップとしては、例えば図１２〜図１４に示すように、容器１０１に取り付けられる中栓１０２と、回転することにより中栓１０２に着脱自在なねじ式の蓋１０３とを有するものがある。中栓１０２は、容器１０１の口部１０４に取付可能な円盤状の取付部材１０５と、取付部材１０５から上向きに突出した円筒状の注出ノズル１０６と、注出ノズル１０６の先端部に形成された円形の注出口１０７と、撥音用突部１０８とを有している。
【０００３】
注出ノズル１０６は外周に雄ねじ１０９を有している。また、撥音用突部１０８は、注出ノズル１０６の根元部分に形成されて、上向きに突出している。
【０００４】
蓋１０３は、円板状の頂板部１１２と、頂板部１１２の外周縁から垂下された円筒状のスカート部１１３と、雄ねじ１０９に螺合する雌ねじ１１４を内周に備えた円筒状のねじ筒１１５と、径方向Ｃにおいてスカート部１１３とねじ筒１１５との間に形成された円筒状の中足部材１１６と、注出口１０７に嵌脱自在な円筒状の栓部材１１７と、撥音用突起１１８とを有している。
【０００５】
撥音用突起１１８は、ねじ筒１１５の下端に設けられて下向きに突出しており、図１２に示すように、蓋１０３を閉位置Ｐまで回した際、撥音用突部１０８に当接して撥音用突部１０８を乗り越えることにより音を発生させる。
【０００６】
これによると、キャップ１００を開栓した後、閉栓する際は、蓋１０３を中栓１０２に被せて閉方向Ｓに回す。これにより、図１２に示すように、雄ねじ１０９と雌ねじ１１４とが螺合して、ねじ筒１１５が注出ノズル１０６に外嵌されるとともに、栓部材１１７が注出口１０７に挿入されて、注出口１０７が閉鎖される。
【０００７】
この際、蓋１０３を回して閉位置Ｐまで閉めると、中足部材１１６の下端が取付部材１０５の上面に当接するとともに、撥音用突起１１８が撥音用突部１０８に当接して撥音用突部１０８を乗り越えることにより音を発生させる。
【０００８】
この音により、利用者は蓋１０３を回して閉位置Ｐまで閉めたことを認識し、蓋１０３の閉め方が不十分であったり、或いは、蓋１０３を閉め過ぎるといった不具合を防止することができる。
【０００９】
尚、上記のような撥音機能を有するキャップは例えば下記特許文献１に記載されている。
【先行技術文献】
【特許文献】
【００１０】
【特許文献１】特開２０１８−３０６０３
【発明の概要】
【発明が解決しようとする課題】
【００１１】
しかしながら上記の従来形式では、図１４に示すように、撥音用突起１１８はねじ筒１１５の下端に設けられて下向きに突出しているため、撥音用突起１１８の下端から蓋１０３の頂板部１１２までの高さｈが増大し、キャップ１００が上下方向において大型化するといった問題がある。
【００１２】
本発明は、上下方向において小型化することが可能なキャップを提供することを目的とする。
【課題を解決するための手段】
【００１３】
上記目的を達成するために、本第１発明は、容器に取り付けられる中栓と、回転することにより中栓に着脱自在なねじ式の蓋とを有するキャップであって、
中栓は、容器に取付可能な取付部材と、取付部材から上向きに突出した注出ノズルと、注出ノズルの先端部に形成された注出口と、取付部材に設けられた中栓側撥音部材とを有し、
注出ノズルは外周に雄ねじを有し、
蓋は、注出口を開閉するものであり、頂板部と、頂板部の外周縁から垂下されたスカート部と、スカート部よりも径方向内側に備えられたねじ筒と、径方向においてスカート部とねじ筒との間に形成された中足部材と、蓋側撥音部材とを有し、
ねじ筒は雄ねじに螺合する雌ねじを内周に有し、
中足部材は周方向における少なくとも一箇所が分断された間欠部を有する円筒状の部材であり、
蓋側撥音部材は、中足部材の間欠部に配置され、蓋を閉方向に回して注出口を閉鎖する閉位置まで閉めた際、中栓側撥音部材に当接して中栓側撥音部材を乗り越えることにより音を発生させるものである。
【００１４】
これによると、キャップを閉栓する際は、蓋を中栓に被せて閉方向に回す。これにより、雄ねじと雌ねじとが螺合して、ねじ筒が注出ノズルに外嵌され、注出口が蓋で閉鎖される。
【００１５】
この際、蓋を回して閉位置まで閉めると、蓋側撥音部材が中栓側撥音部材に当接して中栓側撥音部材を乗り越えることにより音を発生させる。
【００１６】
この音により、利用者は蓋を回して閉位置まで閉めたことを認識し、蓋の閉め方が不十分であったり、或いは、蓋を閉め過ぎるといった不具合を防止することができる。
【００１７】
また、蓋側撥音部材は、ねじ筒の下端に設けられているのではなく、中足部材の間欠部に配置されているため、蓋側撥音部材の下端から蓋の頂板部までの高さが抑えられ、キャップを上下方向において小型化することができる。
【００１８】
さらに、蓋側撥音部材が中足部材の間欠部に配置されていることにより、蓋側撥音部材が中足部材に接触することはなく、径方向におけるねじ筒と中足部材との間隔を縮小することができる。これにより、蓋の直径を縮小することができ、キャップを直径方向において小型化することもできる。
【００１９】
本第２発明におけるキャップは、閉位置において、中足部材の下端部が取付部材の上面に上方から当接するものである。
【００２０】
これによると、キャップを容器に打栓して装着する際、蓋に作用する外力は、中足部材を介して中栓の取付部材で受けられるため、キャップを容器に打栓した際の衝撃が緩和される。
【００２１】
本第３発明におけるキャップは、雄ねじと雌ねじとはそれぞれ多条ねじであり、
中栓側撥音部材と蓋側撥音部材との少なくともいずれか一方の撥音部材は、周方向における複数箇所に、多条ねじの条数と同じ個数配置されているものである。
【００２２】
これによると、雄ねじと雌ねじとをそれぞれ多条ねじにすることで、１条ねじにした場合と比べて、開栓時および閉栓時に蓋を回す際の回転数を減らすことができる。
【００２３】
また、例えば、蓋側撥音部材が周方向における複数箇所に多条ねじの条数と同じ個数配置されている場合、蓋を閉方向に回して閉位置まで閉めると、複数の蓋側撥音部材のうちのいずれかの蓋側撥音部材が中栓側撥音部材に当接してこの中栓側撥音部材を乗り越えることにより、音を発生させる。
【００２４】
或いは、中栓側撥音部材が周方向における複数箇所に多条ねじの条数と同じ個数配置されている場合、蓋を閉方向に回して閉位置まで閉めると、蓋側撥音部材は、複数の中栓側撥音部材のうちのいずれかの中栓側撥音部材に当接してこの中栓側撥音部材を乗り越えることにより、音を発生させる。
【００２５】
これにより、雄ねじと雌ねじとを多条ねじにした場合であっても、蓋を閉位置まで閉じた際、確実に音を発生させることができる。
【００２６】
本第４発明におけるキャップは、蓋は、注出口に嵌脱自在な栓部材と、栓部材を保持する保持筒とを有し、
栓部材と保持筒とはねじ筒よりも径方向内側に備えられているものである。
【００２７】
これによると、蓋を中栓に被せて閉方向に回すことにより、雄ねじと雌ねじとが螺合して、ねじ筒が注出ノズルに外嵌され、栓部材が注出口に嵌め込まれて、注出口が閉鎖される。また、蓋を開方向に回すことにより、蓋が中栓から取り外されて、栓部材が注出口から離脱し、注出口が開放される。
【発明の効果】
【００２８】
以上のように本発明によると、蓋側撥音部材は、ねじ筒の下端に設けられているのではなく、中足部材の間欠部に配置されているため、蓋側撥音部材の下端から蓋の頂板部までの高さが抑えられ、キャップを上下方向において小型化することができる。
【００２９】
また、蓋側撥音部材が中足部材の間欠部に配置されていることにより、蓋側撥音部材が中足部材に接触することはなく、径方向におけるねじ筒と中足部材との間隔を縮小することができる。これにより、蓋の直径を縮小することができ、キャップを直径方向において小型化することもできる。
【図面の簡単な説明】
【００３０】
【図１】本発明の第１の実施の形態におけるキャップの断面図である。
【図２】同、キャップの中栓の断面図である。
【図３】同、キャップの中栓の平面図である。
【図４】図３におけるＸ−Ｘ矢視図である。
【図５】図３におけるＹ−Ｙ矢視図である。
【図６】同、キャップの蓋の断面図である。
【図７】同、キャップの蓋の底面図である。
【図８】同、キャップを容器に打栓して取り付ける際の図である。
【図９】同、キャップの蓋を回して閉位置まで閉めたときに、蓋側撥音部材の振動片が中栓側撥音部材に当接して中栓側撥音部材を乗り越える様子を示した図である。
【図１０】本発明の第２の実施の形態におけるキャップの中栓の平面図である。
【図１１】本発明の第３の実施の形態におけるキャップの中栓の平面図である。
【図１２】従来のキャップの断面図である。
【図１３】同、キャップの中栓の正面図である。
【図１４】同、キャップの蓋の断面図である。
【発明を実施するための形態】
【００３１】
以下、本発明における実施の形態を、図面を参照して説明する。
【００３２】
（第１の実施の形態）
図１に示すように、キャップ１は、容器２に取り付けられる中栓３と、回転することにより中栓３に着脱自在なねじ式の蓋４とを有している。
【００３３】
ここで、キャップ１の軸心５を上下方向とすると、図２〜図５に示すように、中栓３は、容器２の口部６に取付可能な取付部材１０と、取付部材１０から上向きに突出した円筒状の注出ノズル１１と、注出ノズル１１の先端部に形成された円形の注出口１２と、中栓側撥音部材１４とを有している。
【００３４】
取付部材１０は、円筒状の胴部１６と、胴部１６の上部に設けられた円板部１７と、胴部１６の外周から径方向外側へ張り出した中栓フランジ１８とを有している。また、胴部１６には、下方が開放された溝２０が全周にわたり形成され、容器２の口部６が溝２０に嵌め込まれることで、中栓３が容器２に取り付けられる。
【００３５】
注出ノズル１１は、円板部１７から立ち上がり、先端部が細く窄まっており、また、外周に雄ねじ２１を有している。尚、雄ねじ２１には、周方向Ａにおいて１２０°の間隔で３つのねじ山が形成された３条ねじ（多条ねじの一例）が使用されている。
【００３６】
中栓側撥音部材１４は、取付部材１０の円板部１７の上面に周方向Ａにおいて１２０°の間隔で３個設けられており、円板部１７の上面から上方に突出した突部からなる。これらの中栓側撥音部材１４のうち、図３に示すように、第１の中栓側撥音部材１４ａは注出ノズル１１の根元の外周面から径方向外側に向かって細長く延びており、残りの第２および第３の中栓側撥音部材１４ｂ，１４ｃはそれぞれ、注出ノズル１１の根元の外周面から、第１の中栓側撥音部材１４ａに直交し且つ互いに反対の方向へ細長く延びている。
【００３７】
図６，図７に示すように、蓋４は、注出口１２を開閉するものであり、円板状の頂板部２６と、頂板部２６の外周縁から垂下された円筒状のスカート部２７と、スカート部２７よりも径方向内側に備えられた円筒状のねじ筒２８と、径方向においてスカート部２７とねじ筒２８との間に形成された中足部材２９と、注出口１２に嵌脱自在な栓部材３０と、栓部材３０を保持する円筒状の保持筒３１と、蓋側撥音部材３２とを有している。
【００３８】
頂板部２６は、中央部に、上向きに膨らんだドーム部３４を有している。また、ねじ筒２８は雄ねじ２１に螺合する雌ねじ３５を内周に有している。尚、雌ねじ３５には、周方向Ａにおいて１２０°の間隔で３つのねじ山が形成された３条ねじ（多条ねじの一例）が使用されている。
【００３９】
また、栓部材３０と保持筒３１とはねじ筒２８よりも径方向内側に備えられており、保持筒３１はドーム部３４の内側に納められ、栓部材３０は保持筒３１内に嵌め込まれている。
【００４０】
図１に示すように、蓋４が注出口１２を閉鎖する閉位置Ｐにおいて、中足部材２９の下端部が取付部材１０の円板部１７の上面に上方から当接するとともに、スカート部２７の下端部が中栓フランジ１８の上面に上方から当接する。
【００４１】
図６，図７に示すように、中足部材２９は周方向Ａにおける三箇所が分断された間欠部３７を有する円筒状の部材である。これらの間欠部３７は周方向Ａにおいて１２０°の間隔で形成されている。
【００４２】
蓋側撥音部材３２は、周方向Ａにおいて１２０°の間隔で振り分けられた３個の薄い板状の部材であり、ねじ筒２８の外周面から径方向外側に向かって延設された基部３９と、基部３９の先端から下向きに延びて中足部材２９の間欠部３７に配置された振動片４０とを有している。
【００４３】
蓋側撥音部材３２の振動片４０は、弾性変形可能であり、図１に示すように、蓋４を閉方向Ｓに回して閉位置Ｐまで閉めた際、中栓側撥音部材１４に当接して中栓側撥音部材１４を乗り越えることにより音を発生させる。
【００４４】
以下、上記構成における作用を説明する。
【００４５】
図８に示すように、中栓３と蓋４とを個別に製作した後、蓋４を中栓３に取り付けてキャップ１を組み立てる。その後、容器２を立てて口部６を上向きにした状態で、キャップ１を上方から容器２の口部６に打栓し（打ち込み）、図１に示すように、容器２の口部６を下方から中栓３の溝２０に嵌め込むことにより、キャップ１を容器２に装着する。
【００４６】
打栓の際に蓋４に作用する下向きの外力Ｆは、中足部材２９を介して中栓３の取付部材１０の円板部１７で受けられるとともに、スカート部２７を介して取付部材１０の中栓フランジ１８で受けられる。これにより、キャップ１を容器２の口部６に打栓した際の衝撃が緩和される。
【００４７】
キャップ１を容器２に装着した後、蓋４を開方向Ｏに回すことにより、蓋４が中栓３から取り外されて、栓部材３０が注出口１２から離脱し、図２に示すように注出口１２が開放されて、キャップ１が開栓される。この際、図６に示すように、栓部材３０は保持筒３１内に保持されて蓋４と共に中栓３から取り外される。
【００４８】
また、キャップ１を閉栓する際は、蓋４を中栓３に被せて閉方向Ｓに回す。これにより、雄ねじ２１と雌ねじ３５とが螺合して、ねじ筒２８が注出ノズル１１に外嵌され、栓部材３０が注出口１２に嵌め込まれて、注出口１２が閉鎖される。
【００４９】
この際、図１に示すように、蓋４を回して閉位置Ｐまで閉めると、中足部材２９の下端部が取付部材１０の円板部１７の上面に当接するとともに、スカート部２７の下端部が中栓フランジ１８の上面に当接し、図９に示すように、蓋側撥音部材３２の振動片４０が中栓側撥音部材１４に当接して中栓側撥音部材１４を乗り越えることにより音を発生させる。
【００５０】
この音により、利用者は蓋４を回して閉位置Ｐまで閉めたことを認識し、蓋４の閉め方が不十分であったり、或いは、蓋４を閉め過ぎるといった不具合を防止することができる。
【００５１】
また、蓋側撥音部材３２は、ねじ筒２８の下端に設けられているのではなく、ねじ筒２８の外周面から径方向外側に向かって延設されて中足部材２９の間欠部３７に配置されているため、図６に示すように、蓋側撥音部材３２の下端から蓋４の頂板部２６までの高さＨが抑えられ、キャップ１を上下方向において小型化することができる。
【００５２】
さらに、蓋側撥音部材３２の振動片４０が中足部材２９の間欠部３７に配置されていることにより、蓋側撥音部材３２が中足部材２９に接触することはなく、径方向におけるねじ筒２８と中足部材２９との間隔Ｂを縮小することができる。これにより、蓋４の直径を縮小することができ、キャップ１を直径方向において小型化することもできる。
【００５３】
また、雄ねじ２１と雌ねじ３５とをそれぞれ３条ねじにすることで、１条ねじにした場合と比べて、開栓時および閉栓時に蓋４を回す際の回転数を減らすことができる。また、蓋４を閉方向Ｓに回して閉位置Ｐまで閉めた際、全ての蓋側撥音部材３２はそれぞれ、いずれかの中栓側撥音部材１４（すなわち第１〜第３の中栓側撥音部材１４ａ〜１４ｃ）に当接して中栓側撥音部材１４を乗り越えることにより、音を発生させる。
【００５４】
これにより、雄ねじ２１と雌ねじ３５とを３条ねじにした場合であっても、蓋４を閉方向Ｓに回して閉位置Ｐまで閉めた際、確実に音を発生させることができる。
【００５５】
上記第１の実施の形態では、雄ねじ２１と雌ねじ３５とを３条ねじにし、中栓側撥音部材１４と蓋側撥音部材３２とをそれぞれ３個ずつ設けているが、３条ねじに限定されるものではなく、３条以外の多条ねじ（例えば２条ねじや４条ねじ等）であってもよく、この場合、中栓側撥音部材１４と蓋側撥音部材３２とのそれぞれの個数を多条ねじの条数と同じにすればよい。
【００５６】
上記第１の実施の形態では、図７に示すように、中足部材２９は、周方向Ａにおける三箇所に間欠部３７を有しているが、三箇所に限定されるものではなく、蓋側撥音部材３２の個数と同じ個数の間欠部３７を有していればよい。
【００５７】
（第２の実施の形態）
先述した第１の実施の形態では、中栓側撥音部材１４と蓋側撥音部材３２とをそれぞれ３個ずつ設けているが、第２の実施の形態では、図１０に示すように、中栓側撥音部材１４を１個だけ設け、蓋側撥音部材３２を第１の実施の形態と同様に３個設けている。
【００５８】
これによると、蓋４を閉方向Ｓに回して閉位置Ｐまで閉めた際、３個の蓋側撥音部材３２のうちのいずれか１個の蓋側撥音部材３２が、中栓側撥音部材１４に当接して中栓側撥音部材１４を乗り越えることにより、音を発生させる。
【００５９】
これにより、雄ねじ２１と雌ねじ３５とを３条ねじにした場合であっても、蓋４を閉方向Ｓに回して閉位置Ｐまで閉めた際、確実に音を発生させることができる。
【００６０】
上記第２の実施の形態では、雄ねじ２１と雌ねじ３５とを３条ねじにし、蓋側撥音部材３２を３個設けているが、３条ねじに限定されるものではなく、３条以外の多条ねじ（例えば２条ねじや４条ねじ等）であってもよく、この場合、蓋側撥音部材３２の個数を多条ねじの条数と同じにすればよい。
【００６１】
（第３の実施の形態）
先述した第１の実施の形態では、中栓側撥音部材１４と蓋側撥音部材３２とをそれぞれ３個ずつ設けているが、第３の実施の形態では、図１１に示すように、中栓側撥音部材１４を第１の実施の形態と同様に３個設け、蓋側撥音部材３２を１個だけ設けている。また、中足部材２９は一箇所のみに間欠部３７を有しており、この間欠部３７に蓋側撥音部材３２の振動片４０が配置されている。
【００６２】
これによると、蓋４を閉方向Ｓに回して閉位置Ｐまで閉めた際、蓋側撥音部材３２が、３個の中栓側撥音部材１４のうちのいずれか１個の中栓側撥音部材１４に当接してこの中栓側撥音部材１４を乗り越えることにより、音を発生させる。
【００６３】
これにより、雄ねじ２１と雌ねじ３５とを３条ねじにした場合であっても、蓋４を閉方向Ｓに回して閉位置Ｐまで閉めた際、確実に音を発生させることができる。
【００６４】
上記第３の実施の形態では、雄ねじ２１と雌ねじ３５とを３条ねじにし、中栓側撥音部材１４を３個設けているが、３条ねじに限定されるものではなく、３条以外の多条ねじ（例えば２条ねじや４条ねじ等）であってもよく、この場合、中栓側撥音部材１４の個数を多条ねじの条数と同じにすればよい。
【００６５】
上記各実施の形態では、雄ねじ２１と雌ねじ３５とを３条ねじにしているが、１条ねじであってもよい。この場合、中栓側撥音部材１４と蓋側撥音部材３２との個数をそれぞれ１個にすればよい。
【００６６】
上記各実施の形態では、図１に示すように、蓋４は、中央部にドーム部３４を形成した頂板部２６を有しているが、ドーム部３４を形成していない平坦な頂板部２６を有するものであってもよい。
【符号の説明】
【００６７】
１          キャップ
２          容器
３          中栓
４          蓋
１０        取付部材
１１        注出ノズル
１２        注出口
１４        中栓側撥音部材
２１        雄ねじ
２６        頂板部
２７        スカート部
２８        ねじ筒
２９        中足部材
３２        蓋側撥音部材
３５        雌ねじ
３７        間欠部
Ａ          周方向
Ｐ          閉位置
Ｓ          閉方向
【図１】
2020189638.tif 000003
【図２】
2020189638.tif 000004
【図３】
2020189638.tif 000005
【図４】
2020189638.tif 000006
【図５】
2020189638.tif 000007
【図６】
2020189638.tif 000008
【図７】
2020189638.tif 000009
【図８】
2020189638.tif 000010
【図９】
2020189638.tif 000011
【図１０】
2020189638.tif 000012
【図１１】
2020189638.tif 000013
【図１２】
2020189638.tif 000014
【図１３】
2020189638.tif 000015
【図１４】
2020189638.tif 000016